(57)【要約】【課題】  投影場所の環境を投影装置が制御し得るようにする。【解決手段】  投影型表示装置（９）は、投影場所（１）に設置されている各種の機器類（２〜６）に対応した複数の制御指令を格納するとともに、ユーザ（１０）の操作に応答して、前記複数の鑑賞モードの一つを選択し、該選択鑑賞モードに適合した制御指令を前記機器類（２〜６）に対して送信する。投影場所に設けられている様々な機器類（たとえば、天井灯、電動カーテン、空調機、オーディオシステム６、電気スタンドなど）を投影型表示装置からコントロールでき、投影型表示装置の使用環境を制御可能な技術を提供する。【選択図】  図１
2008083453.tif 000002
【特許請求の範囲】
【請求項１】
この投影装置が設置されている環境を制御する指示を行う投影環境制御指示手段を持つことを特徴とする投射型投影装置。
【請求項２】
前記投影環境制御指示手段は、
投影場所に設置されている各種の機器類に対応した複数の制御指令を格納する第１格納手段と、
投影映像に対する複数の鑑賞モードを格納する第２格納手段と、
所定の指示に応答して前記第２格納手段に格納されている複数の鑑賞モードの一つを選択する選択手段と、
前記選択手段によって一つの鑑賞モードが選択されたときに前記第１格納手段から該選択鑑賞モードに適合した制御指令を抽出する抽出手段と、
前記抽出手段によって抽出された制御指令を前記機器類に対して送信する送信手段と
を含むことを特徴とする請求項１記載の投影型表示装置。
【請求項３】
さらに、画像の投影開始と投影終了を判定する第１判定手段を備え、
前記送信手段は、該第１判定手段によって画像の投影開始が判定されたときに前記抽出手段によって抽出された制御指令を前記機器類に対して送信し、また、該第１判定手段によって画像の投影終了が判定されたときに前記第２格納手段に格納されている複数の鑑賞モードのうちのノーマルモードに適合した制御指令を前記第１格納手段から抽出し、その制御指令を前記機器類に対して送信することを特徴とする請求項２記載の投影型表示装置。
【請求項４】
前記投影環境制御指示手段は、
投影画像の明るさを検出する検出手段と、
前記検出手段によって検出された投影画面の明るさに応じた制御指令を生成する生成手段と、
投影場所に設置されている照明機器に対して前記生成手段によって生成された制御指令を送信する送信手段と
を含むことを特徴とする請求項１記載の投影型表示装置。
【請求項５】
前記投影環境制御指示手段は、
投影画像に含まれる単語の意味から該画像の明暗のイメージを解析する解析手段と、
前記解析手段によって解析された投影画面の明暗のイメージに応じた制御指令を生成する生成手段と、
投影場所に設置されている照明機器に対して前記生成手段によって生成された制御指令を送信する送信手段と
を含むことを特徴とする請求項１記載の投影型表示装置。
【請求項６】
前記投影環境制御指示手段は、
投影画像がダミー画像、背景画像またはタイトル画像若しくはそれに相当する画像であるか否かを判定する第２判定手段と、
前記第２判定手段の判定結果が肯定の場合に投影場所に設置されているスピーカまたはオーディオシステム若しくはその他の音響設備に対してＢＧＭあるいはナレーションを送信する送信手段と
を含むことを特徴とする請求項１記載の投影型表示装置。
【請求項７】
この投影装置が設置されている環境を制御する指示を行う投影環境制御指示工程を実行することを特徴とする投射型投影方法。
【請求項８】
前記投影環境制御指示工程は、
投影場所に設置されている各種の機器類に対応した様々な制御指令を格納する第１格納工程と、
投影映像に対する複数の鑑賞モードを格納する第２格納工程と、
ユーザ操作に応答して前記第２格納手段に格納されている複数の鑑賞モードの一つを選択する選択工程と、
前記選択手段によって一つの鑑賞モードが選択されたときに前記第１格納工程によって格納された制御指令の中から該選択鑑賞モードに適合した制御指令を抽出する抽出工程と、
前記抽出手段によって抽出された制御指令を前記機器類に対して送信する送信工程と
を含むことを特徴とする請求項７記載の投影型表示制御方法。
【請求項９】
コンピュータを、
投影場所に設置されている各種の機器類に対応した様々な制御指令を格納する第１格納手段と、
投影映像に対する複数の鑑賞モードを格納する第２格納手段と、
ユーザ操作に応答して前記第２格納手段に格納されている複数の鑑賞モードの一つを選択する選択手段と、
前記選択手段によって一つの鑑賞モードが選択されたときに前記第１格納手段から該選択鑑賞モードに適合した制御指令を抽出する抽出手段と、
前記抽出手段によって抽出された制御指令を前記機器類に対して送信する送信手段と
して機能させるためのプログラム。
【発明の詳細な説明】
【技術分野】
【０００１】
本発明は、プロジェクタ等の投影型表示装置、投影型表示制御方法及びプログラムに関し、詳しくは、テレビジョン放送の映像や、映画等のＤＶＤコンテンツ映像、または、パーソナルコンピュータの表示映像などをスクリーン等に拡大投影する投影型表示装置、投影型表示制御方法及びプログラムに関する。
【背景技術】
【０００２】
一般的にホームシアター用途の表示装置、すなわち、映画等のコンテンツ映像を家庭内で大画面で楽しむための表示装置としては、画質がよく画面が明るい液晶ディスプレイやプラズマディスプレイが理想的であるが、重量があり、しかも、未だ高価格（１インチ１万円程度といわれている。）なことから、軽量且つ低価格な投影型表示装置（プロジェクタ等）が用いられることが多い。また、会議等でパーソナルコンピュータの映像を拡大表示する際にも、持ち運びが容易なプロジェクタ等の投影型表示装置が用いられることが多い。
【０００３】
このように、価格や持ち運び容易性の点でメリットを持つ投影型表示装置であるが、依然として、液晶ディスプレイやプラズマディスプレイに比べて、画面の明るさや画質が劣ることは否めない事実であり、投影型表示装置の使用に際しては、環境に応じた様々な設定作業を行う必要がある。しかし、このような設定作業は、当然ながら手間がかかって面倒なため、何らかの対策が求められる。
【０００４】
そこで、下記の特許文献１には、プロジェクタを使用する可能性がある場所（部屋等）に、その場所に適したプロジェクタの設定パラメータ（投影画像のアスペクト比やズーム倍率、スクリーン色補正値、フォーカス距離など）を記憶した非接触タグ（ＩＣタグ）を設置しておき、プロジェクタをその場所に移動させたときに、ＩＣタグの情報（設定パラメータ）をプロジェクタに読み込み、その設定パラメータに従ってプロジェクタの動作パラメータを自動的に設定するようにした技術（以下、第１の従来技術という。）が記載されている。この第１の従来技術によれば、ＩＣタグが設置された部屋に移動するだけで、その部屋に適した設定パラメータでプロジェクタを動作させることができる。
【０００５】
また、下記の特許文献２には、映像の種類や周囲の明るさ等に応じて、プロジェクタ内の光変調デバイス（液晶ライトバルブ等）への入射光量を調節するようにした技術（以下、第２の従来技術という。）が記載されている。この第２の従来技術によれば、映像の種類や周囲の明るさ等に応じてプロジェクタの投影画像の明るさを適応的に変えることができる。
【０００６】
【特許文献１】特開２００５−１６４９３０号公報
【特許文献２】特開２００４−３５４８８２号公報
【発明の開示】
【発明が解決しようとする課題】
【０００７】
しかしながら、上記の第１の従来技術は、ＩＣタグが設置された部屋に適した設定パラメータでプロジェクタを動作させることができ、また、上記の第２の従来技術は、映像の種類や周囲の明るさ等に応じてプロジェクタの投影画像の明るさを変えることができるという利点があるものの、投影場所の環境をプロジェクタが制御するというものは存在していない。
【０００８】
つまり、プロジェクタの使用環境は一律ではなく、たとえば、室内光の明るさ、窓等から入り込む外光の明るさ、エアコン等各種騒音源のうるささなどによっても大きく影響されるし、あるいは、プロジェクタの音声をオーディオシステムで拡声出力する場合には、そのオーディオシステムの設定（音質や音量及びサラウンド等の音声効果）によっても影響される。
【０００９】
このため、プロジェクタを使用する際には、投影しようとする映像リソースの種類や視聴者の好みに応じて、照明を消したり、明るさを減じたり、また、カーテンを引いて外光を遮断したり、エアコンを静音化運転させたり、さらに、オーディオシステムの設定を調節したり等々、きわめて面倒な作業を人の手で行う必要がある。
【００１０】
上記の第１及び第２の従来技術にあっては、こうしたプロジェクタの外的な使用環境の設定作業を省力化する点については一切の言及がない。したがって、これらの従来技術は、投影場所の環境を制御できないので、上記のとおり、人の手で環境設定を行わざるを得ないから、手間がかかって面倒であるという問題点がある。
【００１１】
そこで、本発明の目的は、投影場所の環境を制御することのできる投影型表示装置、投影型表示制御方法及びプログラムを提供することにある。
【課題を解決するための手段】
【００１２】
請求項１記載の発明は、この投影装置が設置されている環境を制御する指示を行う投影環境制御指示手段を持つことを特徴とする投射型投影装置である。
請求項２記載の発明は、前記投影環境制御指示手段は、投影場所に設置されている各種の機器類に対応した複数の制御指令を格納する第１格納手段と、投影映像に対する複数の鑑賞モードを格納する第２格納手段と、所定の指示に応答して前記第２格納手段に格納されている複数の鑑賞モードの一つを選択する選択手段と、前記選択手段によって一つの鑑賞モードが選択されたときに前記第１格納手段から該選択鑑賞モードに適合した制御指令を抽出する抽出手段と、前記抽出手段によって抽出された制御指令を前記機器類に対して送信する送信手段とを含むことを特徴とする請求項１記載の投影型表示装置である。
請求項３記載の発明は、さらに、画像の投影開始と投影終了を判定する第１判定手段を備え、前記送信手段は、該第１判定手段によって画像の投影開始が判定されたときに前記抽出手段によって抽出された制御指令を前記機器類に対して送信し、また、該第１判定手段によって画像の投影終了が判定されたときに前記第２格納手段に格納されている複数の鑑賞モードのうちのノーマルモードに適合した制御指令を前記第１格納手段から抽出し、その制御指令を前記機器類に対して送信することを特徴とする請求項２記載の投影型表示装置である。
請求項４記載の発明は、前記投影環境制御指示手段は、投影画像の明るさを検出する検出手段と、前記検出手段によって検出された投影画面の明るさに応じた制御指令を生成する生成手段と、投影場所に設置されている照明機器に対して前記生成手段によって生成された制御指令を送信する送信手段とを含むことを特徴とする請求項１記載の投影型表示装置である。
請求項５記載の発明は、前記投影環境制御指示手段は、投影画像に含まれる単語の意味から該画像の明暗のイメージを解析する解析手段と、前記解析手段によって解析された投影画面の明暗のイメージに応じた制御指令を生成する生成手段と、投影場所に設置されている照明機器に対して前記生成手段によって生成された制御指令を送信する送信手段とを含むことを特徴とする請求項１記載の投影型表示装置である。
請求項６記載の発明は、前記投影環境制御指示手段は、投影画像がダミー画像、背景画像またはタイトル画像若しくはそれに相当する画像であるか否かを判定する第２判定手段と、前記第２判定手段の判定結果が肯定の場合に投影場所に設置されているスピーカまたはオーディオシステム若しくはその他の音響設備に対してＢＧＭあるいはナレーションを送信する送信手段とを含むことを特徴とする請求項１記載の投影型表示装置である。
請求項７記載の発明は、この投影装置が設置されている環境を制御する指示を行う投影環境制御指示工程を実行することを特徴とする投射型投影方法である。
請求項８記載の発明は、前記投影環境制御指示工程は、投影場所に設置されている各種の機器類に対応した様々な制御指令を格納する第１格納工程と、投影映像に対する複数の鑑賞モードを格納する第２格納工程と、ユーザ操作に応答して前記第２格納手段に格納されている複数の鑑賞モードの一つを選択する選択工程と、前記選択手段によって一つの鑑賞モードが選択されたときに前記第１格納工程によって格納された制御指令の中から該選択鑑賞モードに適合した制御指令を抽出する抽出工程と、前記抽出手段によって抽出された制御指令を前記機器類に対して送信する送信工程とを含むことを特徴とする請求項７記載の投影型表示制御方法である。
請求項９記載の発明は、コンピュータを、投影場所に設置されている各種の機器類に対応した様々な制御指令を格納する第１格納手段と、投影映像に対する複数の鑑賞モードを格納する第２格納手段と、ユーザ操作に応答して前記第２格納手段に格納されている複数の鑑賞モードの一つを選択する選択手段と、前記選択手段によって一つの鑑賞モードが選択されたときに前記第１格納手段から該選択鑑賞モードに適合した制御指令を抽出する抽出手段と、前記抽出手段によって抽出された制御指令を前記機器類に対して送信する送信手段として機能させるためのプログラムである。
【発明の効果】
【００１３】
本発明では、投影型表示装置の投影場所に設けられている様々な機器類（たとえば、天井灯、電動カーテン、空調機、オーディオシステム６、電気スタンドなど）を投影型表示装置からコントロールできるので、投影型表示装置の使用環境を制御可能な技術を提供できる。
【発明を実施するための最良の形態】
【００１４】
以下、本発明の実施形態を、プロジェクタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１５】
図１は、本実施形態におけるプロジェクタの使用環境例を示す図である。この図において、室内１の天井には天井灯２が取り付けられており、床面には電気スタンド３が置かれている。また、窓には電動カーテン４が取り付けられており、壁面には空調機５やオーディオシステム（またはスピーカ等の音響設備）６及びスクリーン７が取り付けられている。さらに、床面に置かれたテーブル８の上には、壁面のスクリーン７に向けて任意の映像を拡大投影することができる投影型表示装置としてのプロジェクタ９が乗せられている。
【００１６】
このプロジェクタ９は、ユーザ１０による直接的な操作、または、ユーザ１０が手にしているリモコン１１を介した間接的な操作により、映像リソース（たとえば、テレビジョン放送の映像、映画等のＤＶＤコンテンツ映像、パーソナルコンピュータの表示映像など）の選択や、その映像リソースの視聴モード（たとえば、日常生活に大きな影響を与えずに視聴するノーマルモード、居間でくつろぎながら視聴するリビングモード、映画館のような迫力で視聴するシアターモード、多人数で視聴する会議モードなど）の選択などを行うことができるようになっている。
【００１７】
ここで、室内１は家庭の居間である。ただし、これは説明上の一例である。プロジェクタ８を使用できる場所であれば如何なる場所であっても構わない。たとえば、会議室やその他の場所であってもよい。
【００１８】
また、ここではリコモン１１を介して各種操作を行うようにしたが、これに限らず、プロジェクタ９にマイクを搭載して、使用者が音声で出した指令に基づき各種操作を行えるようにしてもよい。これにより、使用者は手元にリコモンが無くとも各種操作を行うことができる。
【００１９】
この室内１には、様々な家具や調度品（これらは図示していない。）に加えて、上述の天井灯２、電気スタンド３、電動カーテン４、空調機５、オーディオシステム６といった機器類が備えられているが、本実施形態においては、これらの機器類をプロジェクタ９からコントロールできるようにし、以て、室内１の環境（プロジェクタ９の使用環境）を総合的に制御し得るようにすることを目的とする。なお、上記の機器類は、いうまでもなく例示である。
【００２０】
図２は、プロジェクタ９から行われる機器類のコントロール概念図である。この図において、リモコン１１とプロジェクタ９の間は、たとえば、赤外線によるデータ通信が可能であり、また、プロジェクタ９と各機器類（天井灯２、電気スタンド３、電動カーテン４、空調機５、オーディオシステム６）の間は、たとえば、微弱無線（たとえば、無線ＬＡＮやブルーツース等）によるデータ通信が可能になっている。なお、ここでは、プロジェクタ９と各機器類との間を“無線”で接続するようにしているが、これは、プロジェクタ９を移動する際の妨げにならないようにするためのものである。プロジェクタ９を固定設置する場合はもちろんのこと、プロジェクタ９の移動に際してケーブルの抜き差しが面倒でなければ、全ての機器または一部の機器との間を“有線”（有線ＬＡＮやその他の有線通信）で接続するようにしても構わない。
【００２１】
図３は、プロジェクタ９の内部ブロック図である。プロジェクタ９は、リソース入力部１２、画像変換部１３、投影エンコーダ１４、ビデオＲＡＭ１５（少なくともＲ画像プレーン１５ａ、Ｇ画像プレーン１５ｂ及びＢ画像プレーン１５ｃを含む）、投影駆動部１６、リフレクタ１７、光源１８、冷却ファン１９、冷却ファン駆動用モータ２０、カラーホイール２１、カラーホイール駆動用モータ２２、ＤＭＤ２３、投影レンズ２４、フォーカス／ズーム駆動用モータ２５、制御値出力部２６、リモコン受信部２７、スピーカ２８、音声処理部２９、音声出力部３０、表示駆動部３１、本体操作表示部３２（平面表示デバイス３２ａ、タッチパネル３２ｂ）、操作部３３、中央制御部３４などのブロックを含む。
【００２２】
中央制御部３４は、たとえば、ワンチップ化されたマイクロコンピュータ（以下、単にコンピュータという。）を主たる要素として構成されており、内部のＰＲＯＭ３４ａ等に予め書き込まれた所定の制御プログラムを実行することにより、このプロジェクタ９の動作を統括制御する。
【００２３】
この中央制御部３４は、表示駆動部３１を介して本体操作表示部３２の平面表示デバイス３２ａに所要の操作ボタン類をグラフィカル表示する。ユーザ１０によって任意の操作ボタンがタッチ操作されると、そのタッチ座標がタッチパネル３２ｂで検出され、中央制御部３４は、その検出座標に基づいて、タッチ操作されたボタンの種類を特定し、その特定結果に対応した制御を実行する。
【００２４】
また、中央制御部３４は、表示駆動部３１を介して本体操作表示部３２の平面表示デバイス３２ａに、入力画像の解像度や、リソース入力部１２で行われるリソースの選択（たとえば、入力１：ＴＶチューナ３５からのテレビジョン放送番組、入力２：ＤＶＤプレイヤー３６からの映画、入力３：パソコン３７からの表示データ等）、そのリソースの視聴モード（たとえば、日常生活に大きな影響を与えずに視聴するノーマルモード、居間でくつろぎながら視聴するリビングモード、映画館のような迫力で視聴するシアターモード、多人数で視聴する会議モードなど）の選択、及び、音声の有無等の設定に必要な操作ボタン類をグラフィカル表示する。ユーザ１０によって任意の操作ボタンがタッチ操作されると、そのタッチ座標がタッチパネル３２ｂで検出され、中央制御部３４は、その検出座標に基づいて、タッチ操作されたボタンの種類を特定し、その特定結果に対応した設定動作（解像度の設定やリソースの選択、視聴モードの選択及び音声の有無など）を実行する。
【００２５】
なお、リモコン１１にも、上記本体操作表示部３２の平面表示デバイス３２ａの操作ボタン類と同様のものが設けられている。すなわち、リモコン１１にも入力画像の解像度や、リソース入力部１２で行われるリソースの選択（たとえば、入力１：ＴＶチューナ３５からのテレビジョン放送番組、入力２：ＤＶＤプレイヤー３６からの映画、入力３：パソコン３７からの表示データ等）、そのリソースの視聴モード（たとえば、日常生活に大きな影響を与えずに視聴するノーマルモード、居間でくつろぎながら視聴するリビングモード、映画館のような迫力で視聴するシアターモード、多人数で視聴する会議モードなど）の選択、及び、音声の有無等の設定に必要な操作ボタン類が設けられており、中央制御部３４は、リモコン１１から送信されたそれらのボタンの操作情報をリモコン受信部２７を介して受け取ると、その操作情報に基づいて、操作されたボタンの種類を特定し、その特定結果に対応した設定動作（解像度の設定やリソースの選択、視聴モードの選択及び音声の有無など）を実行する。
【００２６】
今、ユーザ１０によってリモコン１１または本体操作表示部３２の平面表示デバイス３２ａが操作され、たとえば、入力画像の解像度としてＸＧＡ（１０２４×７６８画素）、リソース入力部１２の選択リソースとして「入力１」（ＴＶチューナ３５からのテレビジョン放送番組）、及び、「音声あり」が設定されたとする。この場合、リソース入力部１２を介してテレビジョン放送番組の映像と音声が取り込まれ、それらの映像と音声が画像変換部１３と音声処理部２９に転送される。
【００２７】
音声処理部２９は音声を増幅してスピーカ２８で拡声出力すると共に、必要であれば、その音声信号を音声出力部３０を介して外部に出力する。この音声出力部３０には、所望により、ケーブル３８を介して外部スピーカ３９を接続できるようになっている。なお、この外部スピーカ３９は、たとえば、前記のオーディオシステム６とすることができる。この場合、図２に示すプロジェクタ９とオーディオシステム６の間に引かれた点線は、ケーブル３８を表すことにする。
【００２８】
画像変換部１３は、入力画像のフォーマット変換（たとえば、ＮＴＳＣ形式からＲＧＢ形式への変換）とアスペクト変換（入力画像のアスペクトを後述のＤＭＤ２３のアスペクトに変換）とを実行し、その変換画像を投影エンコーダ１４に転送する。
【００２９】
投影エンコーダ１４は、送られてきた画像信号をビデオＲＡＭ１５に展開記憶（Ｒ画像→Ｒ画像プレーン１５ａ、Ｇ画像→Ｇ画像プレーン１５ｂ、Ｂ画像→Ｂ画像プレーン１５ｃ）させた上で、このビデオＲＡＭ１５の各プレーンの記憶内容を、Ｒ画像、Ｇ画像及びＢ画像の順に読み出すとともに、必要であれば、それらのＲ画像、Ｇ画像及びＢ画像からＷ画像を生成する。なお、Ｒ画像は赤色成分のみの色画像、Ｇ画像は緑色成分のみの色画像、Ｂ画像は青色成分のみの色画像、Ｗ画像は輝度成分のみのモノクロ画像のことである。ただし、ここでは、ＲＧＢの原色系としているが、これに限定されない。ＹＣＭ（黄色、シアン、マゼンタ）の補色系としてもよい。補色系の場合、明細書及び図中のＲ、Ｇ及びＢをそれぞれＹ、Ｃ及びＭと読み替えればよい。
【００３０】
投影駆動部１６は、それらのＲ画像、Ｇ画像、Ｂ画像及びＷ画像から構成される、たとえば、３０フレーム／秒のフレーム画像で、ＤＭＤ２３を駆動する。
【００３１】
ＤＭＤ（Ｄｉｇｉｔａｌ  Ｍｉｃｒｏ−ｍｉｒｒｏｒ  Ｄｅｖｉｃｅ）３３は、光変調デバイスの一種であり、微小な可動ミラーを多数個平面上に敷き詰めた半導体集積光スイッチである。可動ミラーの大きさは、たとえば、十数μｍ角であり、ミラーのオンとオフの状態で±１０度程度傾斜が変化するように支柱に取り付けられている。ミラーの直下にはメモリー素子が形成されており、このメモリー素子の正電界作用によってミラーのオンとオフの状態を切り換える。ＤＭＤ２３の反射光量は、ミラーをオンにしたときに最大（白階調）、オフにしたときに最小（黒階調）となるが、各ミラーのスイッチングスピード（オンとオフの切り換えスピード）を毎秒５０万回以上にすることもできるため、各ミラーのスイッチングレシオを変えることにより、ＤＭＤ２３の反射光量を中間階調（グレースケール）にすることもできる。
【００３２】
このようなＤＭＤ２３に対して、リフレクタ１７内に配置された超高圧水銀灯等の光源１８から高輝度の白色のスポット光Ｐａを照射すると、その反射光Ｐｂは、ＤＭＤ２３の各ミラーのオンオフ及びそのスイッチングレシオに対応して画素ごとに光変調（画像信号の内容で画素単位に光変調）されたものとなり、この反射光Ｐｂを投影レンズ２４を介してスクリーン７に投射することによって、そのスクリーン７上に画像信号の拡大映像（ここではテレビジョン放送映像）を投影することができる。
【００３３】
但し、図示の例では、ＤＭＤ２３の数は１個であり、また、光源１８から照射されたスポット光Ｐａは「白色光」であるから、この場合、スクリーン７にはモノクロの映像しか投影できない。そこで、実際には、光源１８の前面にカラーホイール２１を配置して、このカラーホイール２１をカラーホイール駆動用モータ２２で回転駆動するようにし、且つ、ビデオＲＡＭ１５に画像信号を展開記憶する際に、光の三原色（ＲＧＢ）ごとのビデオ信号成分に分けて展開記憶するようにしている。
【００３４】
リモコン受信部２７は、ユーザ１０によって適宜に操作されるリモコン１１からの操作情報を赤外線によって受信する。リモコン１１の操作は前記の本体操作表示部３２における各種操作を概ね網羅しており、その操作には、上述のとおり、入力画像の解像度や、リソース入力部１２で行われるリソースの選択（たとえば、入力１：ＴＶチューナ３５からのテレビジョン放送番組、入力２：ＤＶＤプレイヤー３６からの映画、入力３：パソコン３７からの表示データ等）、そのリソースの視聴モード（たとえば、日常生活に大きな影響を与えずに視聴するノーマルモード、居間でくつろぎながら視聴するリビングモード、映画館のような迫力で視聴するシアターモード、多人数で視聴する会議モードなど）の選択、音声の有無等の設定操作などが含まれる。
【００３５】
前記の中央制御部３４は、前記の本体操作表示部３２における各種操作、または、リモコン１１の各種操作に応答して、リソース入力部１２によるリソース選択を制御すると共に、特に、その操作が“視聴モード”に関するものであった場合には、後述のモードテーブル（図５のモードテーブル４６）を参照し、室内１に設けられている各機器類（前記の天井灯２、電気スタンド３、電動カーテン４、空調機５、オーディオシステム６）の動作を選択された視聴モードに応じて適切に制御する。
【００３６】
制御値出力部２６は、室内１に設けられている各機器類（前記の天井灯２、電気スタンド３、電動カーテン４、空調機５、オーディオシステム６）に対して、所要の制御信号（制御指令）を出力するものであり、この制御信号はアンテナ２６ａから無線で送信される。
【００３７】
図４は、制御値出力部２６からの制御信号（制御指令）を受信するための受信機４０の構成図である。この受信機４０は、室内１に設けられている各機器類ごとに設けられる。各々の受信機４０は、アンテナ４１、受信部４２、ＩＤメモリ４３、ＩＤ判定部４４及び制御部４５を含む。受信部４２は、アンテナ４２で受信した制御値出力部２６からの制御信号をデジタル信号に変換し、ＩＤ判定部４４は、制御信号中のＩＤ情報（各機器類を識別するための固有の情報）と、ＩＤメモリ４３に予め各機器ごとに記憶されているＩＤ情報との照合をとり、ＩＤが一致した場合にその制御情報が、自身の受信機４０に接続されている制御対象（各機器類の一つ）に対する制御指令を含むものと判断し、制御部４５を介して、自身の受信機４０に接続されている制御対象に対して制御指令を出力する。たとえば、自身の受信機４０に接続されている制御対象を天井灯２とし、その制御指令を“暗くする”とすれば、この場合、天井灯２の照度が落とされることになる。
【００３８】
なお、ここでは、室内１の各機器類ごとに“受信機４０”を設けるとしているが、これに限らない。たとえば、「情報家電」の技術を利用してもよい。情報家電については、たとえば、経済産業省・商務情報政策局・情報政策課発行の“「情報家電ネットワーク化に関する検討会」のとりまとめ”（http://www.meti.go.jp/press/20050720002/1-kenntoukai-set.pdf）を参考にされたい。すなわち、今日においては、デジタル技術を活用した家庭内の電化機器のネットワーク化、たとえば、エアコンや照明機器などの環境家電やインターホンや鍵といった住宅設備機器のネットワーク化が進んでおり、身の回りの生活の情報化が一段と進みつつある。かかる点を踏まえると、家庭内の様々な機器類は（一部であるにせよ）既にネットワーク端末としての機能が付与されているといえるので、この機能を上記の受信機４０の代わりに利用することができる。この場合、上記の受信機４０は不要である。プロジェクタ９の制御値出力部２６を情報家電対応のプロトコル（一般的にＩＰプロトコル）を持つインターフェースとして構成すればよい。
【００３９】
図５は、モードテーブル４６の概念図である。このモードテーブル４６は、中央制御部３４内のＰＲＯＭ３４ａに保持されており、必要に応じて、本体操作表示部３２からテーブル内容を書き換えることができるようになっている。
【００４０】
モードテーブル４６は、モードの種類に応じた複数のレコードＲ１、Ｒ２、Ｒ３・・・・Ｒｎからなり、各レコードは、モードフィールド４６ａと制御対象フィールド４６ｂとを含み、さらに、制御対象フィールド４６ｂは、各機器類ごとのサブフィールド４６ｃ〜４６ｇを含む。
【００４１】
サブフィールド４６ｃ〜４６ｇは、プロジェクタ９の使用場所（ここでは室内１）に設置されている各機器のうち、図４の受信機４０が接続された機器類（天井灯２、電気スタンド３、電動カーテン４、空調機５、オーディオシステム６）ごとに設けられており、それらの機器類について、モードの種類に対応した適切な制御指令が格納されている。
【００４２】
制御指令の具体例は、以下のとおりである。
（レコードＲ１）
居間でくつろぎながら視聴するリビングモードの場合、天井灯２については、昼であれば消灯し、夜であれば明るくする制御指令が格納され、電動カーテン４については、昼であれば開き、夜であれば閉じる制御指令が格納される。また、空調機５については、通常運転の制御指令が格納され、オーディオシステム６については、通常音質／通常音量の制御指令が格納される。さらに、電気スタンド３については、昼であれば消灯、夜であれば点灯の制御指令が格納される。
【００４３】
（レコードＲ２）
映画館のような迫力で視聴するシアターモードの場合、天井灯２については、昼夜を問わず映画館のように暗くする制御指令が格納され、電動カーテン４についても、やはり昼夜を問わず閉じる制御指令が格納される。また、空調機５については、映画鑑賞の邪魔になる騒音を抑えるための静音化運転の制御指令が格納され、オーディオシステム６については、高音質、大音量且つサラウンド効果の制御指令が格納される。さらに、電気スタンド３については、昼夜を問わず消灯の制御指令が格納される。
【００４４】
（レコードＲ３）
多人数で視聴する会議モードの場合、天井灯２については、昼夜を問わず明るくする制御指令が格納され、電動カーテン４についても、やはり昼夜を問わず開く制御指令が格納される。また、空調機５については、通常運転の制御指令が格納され、オーディオシステム６については、明瞭音質の制御指令が格納される。さらに、電気スタンド３については、昼であれば消灯、夜であれば点灯の制御指令が格納される。
【００４５】
（レコードＲ４〜Ｒｎ−１）
この部分は省略する。
（レコードＲｎ）
日常生活に大きな影響を与えずに視聴するノーマルモードの場合、天井灯２については、昼であれば消灯し、夜であれば明るくする制御指令が格納され、電動カーテン４については、昼であれば開き、夜であれば閉じる制御指令が格納される。また、空調機５については、通常運転の制御指令が格納され、オーディオシステム６については、通常音質／通常音量の制御指令が格納される。さらに、電気スタンド３については、昼であれば消灯、夜であれば点灯の制御指令が格納される。
【００４６】
このように、モードテーブル４６には、選択可能なｎ種類のモード（リビングモード、シアターモード、会議モード・・・・ノーマルモード）の各々ごとに、図４の受信機４０が接続された機器類（天井灯２、電気スタンド３、電動カーテン４、空調機５、オーディオシステム６）のそれぞれに適合した制御指令が格納されている。なお、先にも説明したように、モードテーブル４６の内容は、必要に応じて、本体操作表示部３２から自在に書き換えることができるようになっている。これにより、たとえば、機器類の変更（増設や廃止または入れ替え）があった場合には、変更後の機器類に応じた適切な制御指令をモードテーブル４６に書き込むことができるようになっている。
【００４７】
ただし、図５のモードテーブル４６に示した具体的な鑑賞モードや制御指令は、あくまでも一例に過ぎない。要は、ユーザ１０の好みに応じた適切な鑑賞モードや制御指令を格納すればよいのであるから、ここでは、それらの鑑賞モードや制御指令の妥当性に言及しない。
【００４８】
また、図５には、全ての制御対象を一斉に制御するように記載されているが、このようでなくとも構わず、たとえば、空調機の調整は行わないようにしたり、照明のみを制御したりするようにしても構わない。
【００４９】
図６は、中央制御部３４で実行される制御プログラムのフローチャートを示す図である。このフローチャートを開始すると、まず、モード設定があるか否かを判定する（ステップＳ１）。モード設定とは、ユーザ１０が本体操作表示部３２またはリモコン１１を操作してｎ種類の鑑賞モード（リビングモード、シアターモード、会議モード・・・・ノーマルモード）の一つを選択することをいう。なお、モードの初期値はノーマルモードである。
【００５０】
モード設定を判定すると、次に、設定されたモードに対応した制御指令をモードテーブル４６から読み出し（ステップＳ２）、ループカウンタｉを“１”に初期化（ステップＳ３）した後、第ｉ制御対象に対して制御指令を出力する（ステップＳ４）。ここで、天井灯２を第１制御対象、電気スタンド３を第２制御対象、電動カーテン４を第３制御対象、空調機５を第４制御対象、オーディオシステムを第５制御対象とする。現在はｉ＝１であるので、この場合、第１制御対象の天井灯２に対して制御指令が出力される。今、設定モードを“リビングモード”とすれば、図５のモードテーブル４６の具体例より、昼であれば消灯し、夜であれば明るくする制御指令が天井灯２に対して出力される。
【００５１】
このようにして、第ｉ制御対象に対する制御指令を出力すると、次に、ループカウンタｉを＋１し（ステップＳ５）、ｉ＞ｉｍａｘを判定する（ステップＳ６）。ここに、ｉｍａｘは、プロジェクタ９の使用場所（ここでは室内１）に設置されている各機器のうち、図４の受信機４０が接続された機器類の数に相当する。当該機器類は、天井灯２、電気スタンド３、電動カーテン４、空調機５、オーディオシステム６の５つであるから、この場合、ｉｍａｘ＝５となる。現在はｉ＝２であるので、ステップＳ６の判定結果がＮＯとなり、再びステップＳ４以降を実行する。
【００５２】
すなわち、再び第ｉ制御対象に対して制御指令を出力（ステップＳ４）するが、現在ｉ＝２であるから、第２制御対象に対して制御指令を出力することになる。前記のとおり、第２制御対象は電気スタンド３であるので、この場合、第２制御対象の電気スタンド３に対して制御指令が出力される。詳しくは、設定モードが“リビングモード”であるので、図５のモードテーブル４６の具体例より、昼であれば消灯、夜であれば点灯の制御指令が電気スタンド３に対して出力される。
【００５３】
このようにして、第２制御対象に対する制御指令を出力すると、次に、ループカウンタｉを＋１し（ステップＳ５）、ｉ＞ｉｍａｘを判定する（ステップＳ６）。現在はｉ＝３であるので、ステップＳ６の判定結果がＮＯとなり、再びステップＳ４以降を実行する。
【００５４】
すなわち、再び第ｉ制御対象に対して制御指令を出力（ステップＳ４）するが、現在ｉ＝３であるから、第３制御対象に対して制御指令を出力することになる。前記のとおり、第３制御対象は電動カーテン４であるので、この場合、第３制御対象の電動カーテン４に対して制御指令が出力される。詳しくは、設定モードが“リビングモード”であるので、図５のモードテーブル４６の具体例より、昼であれば開き、夜であれば閉じる制御指令が電動カーテン４に対して出力される。
【００５５】
このようにして、第３制御対象に対する制御指令を出力すると、次に、ループカウンタｉを＋１し（ステップＳ５）、ｉ＞ｉｍａｘを判定する（ステップＳ６）。現在はｉ＝４であるので、ステップＳ６の判定結果がＮＯとなり、再びステップＳ４以降を実行する。
【００５６】
すなわち、再び第ｉ制御対象に対して制御指令を出力（ステップＳ４）するが、現在ｉ＝４であるから、第４制御対象に対して制御指令を出力することになる。前記のとおり、第４制御対象は空調機５であるので、この場合、第４制御対象の空調機５に対して制御指令が出力される。詳しくは、設定モードが“リビングモード”であるので、図５のモードテーブル４６の具体例より、通常運転の制御指令が空調機５に対して出力される。
【００５７】
このようにして、第４制御対象に対する制御指令を出力すると、次に、ループカウンタｉを＋１し（ステップＳ５）、ｉ＞ｉｍａｘを判定する（ステップＳ６）。現在はｉ＝５であるので、ステップＳ６の判定結果がＮＯとなり、再びステップＳ４以降を実行する。
【００５８】
すなわち、再び第ｉ制御対象に対して制御指令を出力（ステップＳ４）するが、現在ｉ＝５であるから、第５制御対象に対して制御指令を出力することになる。前記のとおり、第５制御対象はオーディオシステム６であるので、この場合、第５制御対象のオーディオシステム６に対して制御指令が出力される。詳しくは、設定モードが“リビングモード”であるので、図５のモードテーブル４６の具体例より、通常音質／通常音量の制御指令がオーディオシステム６に対して出力される。
【００５９】
このようにして、第５制御対象に対する制御指令を出力すると、次に、ループカウンタｉを＋１し（ステップＳ５）、ｉ＞ｉｍａｘを判定する（ステップＳ６）。この段階でｉ＝６となり、ステップＳ６の判定結果がＹＥＳとなるので、ステップＳ１に復帰し、次のモード変更があるまで待機する。
【００６０】
以上のとおり、図６のフローチャートによれば、プロジェクタ６の投影に先立ち、ユーザ１０が本体操作表示部３２またはリモコン１１を操作してｎ種類の鑑賞モード（リビングモード、シアターモード、会議モード・・・・ノーマルモード）の一つを選択するだけで、その設定モードに対応した制御指令がモードテーブル４６から読み出され、室内１に設けられている各機器類（天井灯２、電気スタンド３、電動カーテン４、空調機５、オーディオシステム６）に対して順次に送信される。
【００６１】
したがって、設定モードが居間でくつろぎながら視聴するリビングモードの場合には、天井灯２については、昼であれば消灯し、夜であれば明るくするように制御され、電動カーテン４については、昼であれば開き、夜であれば閉じるように制御され、空調機５については、通常運転となるように制御され、オーディオシステム６については、通常音質／通常音量となるようにように制御され、さらに、電気スタンド３については、昼であれば消灯、夜であれば点灯するように制御される。
【００６２】
または、設定モードが映画館のような迫力で視聴するシアターモードの場合には、天井灯２については、昼夜を問わず映画館のように暗くするように制御され、電動カーテン４についても、やはり昼夜を問わず閉じるように制御され、空調機５については、映画鑑賞の邪魔になる騒音を抑えるための静音化運転となるように制御され、オーディオシステム６については、高音質、大音量且つサラウンド効果となるように制御され、さらに、電気スタンド３については、昼夜を問わず消灯するように制御される。
【００６３】
または、設定モードが多人数で視聴する会議モードの場合には、天井灯２については、昼夜を問わず明るくするように制御され、電動カーテン４についても、やはり昼夜を問わず開くように制御され、空調機５については、通常運転となるように制御され、オーディオシステム６については、明瞭音質となるように制御され、さらに、電気スタンド３については、昼であれば消灯、夜であれば点灯するように制御される。
【００６４】
または、設定モードが、上記のいずれでもなければ、すなわち、日常生活に大きな影響を与えずに視聴するノーマルモードの場合であれば、天井灯２については、昼であれば消灯し、夜であれば明るくするように制御され、電動カーテン４については、昼であれば開き、夜であれば閉じるように制御され、空調機５については、通常運転するように制御され、オーディオシステム６については、通常音質／通常音量となるように制御され、さらに、電気スタンド３については、昼であれば消灯、夜であれば点灯するように制御される。
【００６５】
このように、本実施形態においては、室内１に設けられている様々な機器類をプロジェクタ９からコントロールできるので、投影場所の環境を総合的に制御し得るきわめて便利なプロジェクタ９を提供することができる。
【００６６】
なお、上記の実施形態は様々な発展や変形が可能であり、以下それらの一例を説明する。
図７、図８は、発展例のフローチャートを示す図であり、図６のフローチャートを改良し、プロジェクタ９の投影開始と投影終了のタイミングに合わせて各機器類の制御を行うようにしたものである。
【００６７】
このフローチャートを開始すると、まず、モード設定があるか否かを判定する（ステップＳ１１）。前記のとおり、モード設定とは、ユーザ１０が本体操作表示部３２またはリモコン１１を操作してｎ種類の鑑賞モード（リビングモード、シアターモード、会議モード・・・・ノーマルモード）の一つを選択することをいう。
【００６８】
モード設定を判定すると、次に、設定されたモードに対応した制御指令をモードテーブル４６から読み出し（ステップＳ１２）、プロジェクタ９の投影開始まで待機する（ステップＳ１３）。
【００６９】
そして、プロジェクタ９の投影が開始されると、ループカウンタｉを“１”に初期化（ステップＳ１４）した後、第ｉ制御対象に対して制御指令を出力する（ステップＳ１５）。ここで、天井灯２を第１制御対象、電気スタンド３を第２制御対象、電動カーテン４を第３制御対象、空調機５を第４制御対象、オーディオシステムを第５制御対象とする。現在はｉ＝１であるので、この場合、第１制御対象の天井灯２に対して制御指令が出力される。詳しくは、設定モードを“リビングモード”とすれば、図５のモードテーブル４６の具体例より、昼であれば消灯し、夜であれば明るくする制御指令が天井灯２に対して出力される。
【００７０】
このようにして、第ｉ制御対象に対する制御指令を出力すると、次に、ループカウンタｉを＋１し（ステップＳ１６）、ｉ＞ｉｍａｘを判定する（ステップＳ１７）。ここに、ｉｍａｘは、プロジェクタ９の使用場所（ここでは室内１）に設置されている各機器のうち、図４の受信機４０が接続された機器類の数に相当する。当該機器類は、天井灯２、電気スタンド３、電動カーテン４、空調機５、オーディオシステム６の５つであるから、この場合、ｉｍａｘ＝５となる。現在はｉ＝２であるので、ステップＳ１７の判定結果がＮＯとなり、再びステップＳ１５以降を実行する。
【００７１】
すなわち、再び第ｉ制御対象に対して制御指令を出力（ステップＳ１５）するが、現在ｉ＝２であるから、第２制御対象に対して制御指令を出力することになる。前記のとおり、第２制御対象は電気スタンド３であるので、この場合、第２制御対象の電気スタンド３に対して制御指令が出力される。詳しくは、設定モードが“リビングモード”であるので、図５のモードテーブル４６の具体例より、昼であれば消灯、夜であれば点灯の制御指令が電気スタンド３に対して出力される。
【００７２】
このようにして、第２制御対象に対する制御指令を出力すると、次に、ループカウンタｉを＋１し（ステップＳ１６）、ｉ＞ｉｍａｘを判定する（ステップＳ１７）。現在はｉ＝３であるので、ステップＳ１７の判定結果がＮＯとなり、再びステップＳ１５以降を実行する。
【００７３】
すなわち、再び第ｉ制御対象に対して制御指令を出力（ステップＳ１５）するが、現在ｉ＝３であるから、第３制御対象に対して制御指令を出力することになる。前記のとおり、第３制御対象は電動カーテン４であるので、この場合、第３制御対象の電動カーテン４に対して制御指令が出力される。詳しくは、設定モードが“リビングモード”であるので、図５のモードテーブル４６の具体例より、昼であれば開き、夜であれば閉じる制御指令が電動カーテン４に対して出力される。
【００７４】
このようにして、第３制御対象に対する制御指令を出力すると、次に、ループカウンタｉを＋１し（ステップＳ１６）、ｉ＞ｉｍａｘを判定する（ステップＳ１７）。現在はｉ＝４であるので、ステップＳ１７の判定結果がＮＯとなり、再びステップＳ１５以降を実行する。
【００７５】
すなわち、再び第ｉ制御対象に対して制御指令を出力（ステップＳ１５）するが、現在ｉ＝４であるから、第４制御対象に対して制御指令を出力することになる。前記のとおり、第４制御対象は空調機５であるので、この場合、第４制御対象の空調機５に対して制御指令が出力される。詳しくは、設定モードが“リビングモード”であるので、図５のモードテーブル４６の具体例より、通常運転の制御指令が空調機５に対して出力される。
【００７６】
このようにして、第４制御対象に対する制御指令を出力すると、次に、ループカウンタｉを＋１し（ステップＳ１６）、ｉ＞ｉｍａｘを判定する（ステップＳ１７）。現在はｉ＝５であるので、ステップＳ１７の判定結果がＮＯとなり、再びステップＳ１５以降を実行する。
【００７７】
すなわち、再び第ｉ制御対象に対して制御指令を出力（ステップＳ１５）するが、現在ｉ＝５であるから、第５制御対象に対して制御指令を出力することになる。前記のとおり、第５制御対象はオーディオシステム６であるので、この場合、第５制御対象のオーディオシステム６に対して制御指令が出力される。詳しくは、設定モードが“リビングモード”であるので、図５のモードテーブル４６の具体例より、通常音質／通常音量の制御指令がオーディオシステム６に対して出力される。
【００７８】
このようにして、第５制御対象に対する制御指令を出力すると、次に、ループカウンタｉを＋１し（ステップＳ１６）、ｉ＞ｉｍａｘを判定する（ステップＳ１７）。この段階でｉ＝６となり、ステップＳ１７の判定結果がＹＥＳとなるので、次に、プロジェクタ９の投影終了まで待機する（ステップＳ１８）。
【００７９】
そして、しかるべき時間の経過の後、プロジェクタ９の投影が終了すると、次に、モードテーブル４６からノーマルモードの制御指令を読み出し（ステップＳ１９）、ループカウンタｉを“１”に初期化（ステップＳ２０）した後、第ｉ制御対象に対して制御指令を出力する（ステップＳ２１）。現在はｉ＝１であるので、この場合、第１制御対象の天井灯２に対して制御指令が出力される。詳しくは、設定モードが“ノーマルモード”であるので、図５のモードテーブル４６の具体例より、昼であれば消灯し、夜であれば明るくする制御指令が天井灯２に対して出力される。
【００８０】
このようにして、第ｉ制御対象に対する制御指令を出力すると、次に、ループカウンタｉを＋１し（ステップＳ２２）、ｉ＞ｉｍａｘを判定する（ステップＳ２３）。現在はｉ＝２であるので、ステップＳ２３の判定結果がＮＯとなり、再びステップＳ２１以降を実行する。
【００８１】
すなわち、再び第ｉ制御対象に対して制御指令を出力（ステップＳ２１）するが、現在ｉ＝２であるから、第２制御対象に対して制御指令を出力することになる。前記のとおり、第２制御対象は電気スタンド３であるので、この場合、第２制御対象の電気スタンド３に対して制御指令が出力される。詳しくは、設定モードが“ノーマルモード”であるので、図５のモードテーブル４６の具体例より、昼であれば消灯、夜であれば点灯の制御指令が電気スタンド３に対して出力される。
【００８２】
このようにして、第２制御対象に対する制御指令を出力すると、次に、ループカウンタｉを＋１し（ステップＳ２２）、ｉ＞ｉｍａｘを判定する（ステップＳ２３）。現在はｉ＝３であるので、ステップＳ２３の判定結果がＮＯとなり、再びステップＳ２１以降を実行する。
【００８３】
すなわち、再び第ｉ制御対象に対して制御指令を出力（ステップＳ２１）するが、現在ｉ＝３であるから、第３制御対象に対して制御指令を出力することになる。前記のとおり、第３制御対象は電動カーテン４であるので、この場合、第３制御対象の電動カーテン４に対して制御指令が出力される。詳しくは、設定モードが“ノーマルモード”であるので、図５のモードテーブル４６の具体例より、昼であれば開き、夜であれば閉じる制御指令が電動カーテン４に対して出力される。
【００８４】
このようにして、第３制御対象に対する制御指令を出力すると、次に、ループカウンタｉを＋１し（ステップＳ２２）、ｉ＞ｉｍａｘを判定する（ステップＳ２３）。現在はｉ＝４であるので、ステップＳ２３の判定結果がＮＯとなり、再びステップＳ２１以降を実行する。
【００８５】
すなわち、再び第ｉ制御対象に対して制御指令を出力（ステップＳ２１）するが、現在ｉ＝４であるから、第４制御対象に対して制御指令を出力することになる。前記のとおり、第４制御対象は空調機５であるので、この場合、第４制御対象の空調機５に対して制御指令が出力される。詳しくは、設定モードが“リビングモード”であるので、図５のモードテーブル４６の具体例より、通常運転の制御指令が空調機５に対して出力される。
【００８６】
このようにして、第４制御対象に対する制御指令を出力すると、次に、ループカウンタｉを＋１し（ステップＳ２２）、ｉ＞ｉｍａｘを判定する（ステップＳ２３）。現在はｉ＝５であるので、ステップＳ２３の判定結果がＮＯとなり、再びステップＳ２１以降を実行する。
【００８７】
すなわち、再び第ｉ制御対象に対して制御指令を出力（ステップＳ２１）するが、現在ｉ＝５であるから、第５制御対象に対して制御指令を出力することになる。前記のとおり、第５制御対象はオーディオシステム６であるので、この場合、第５制御対象のオーディオシステム６に対して制御指令が出力される。詳しくは、設定モードが“ノーマルモード”であるので、図５のモードテーブル４６の具体例より、通常音質／通常音量の制御指令がオーディオシステム６に対して出力される。
【００８８】
このようにして、第５制御対象に対する制御指令を出力すると、次に、ループカウンタｉを＋１し（ステップＳ２２）、ｉ＞ｉｍａｘを判定する（ステップＳ２３）。この段階でｉ＝６となり、ステップＳ２３の判定結果がＹＥＳとなるので、ステップＳ１１に復帰し、次のモード変更があるまで待機する。
【００８９】
以上のとおり、図７、図８のフローチャートによれば、プロジェクタ９の投影開始のタイミングに合わせて各機器類の動作を設定モードに適合したものとなるように制御することができ、また、プロジェクタ９の投影終了のタイミングに合わせて各機器類の動作をノーマルモードに適合したものとなるように制御することができる。したがって、たとえば、映画館のような迫力で視聴するシアターモードを選択した場合には、上映開始と同時に室内を暗くすると共に、上映終了と同時に室内を明るくすることができる。
【００９０】
図９は、プロジェクタ９の投影画像の明るさに応じて室内照明の明るさを制御するように改良したフローチャート例を示す図である。このフローチャートでは、まず、プロジェクタ９の投影画像の明るさを分析する（ステップＳ３１）。この分析は、たとえば、ビデオＲＡＭ１５に保持されている画像の平均輝度値を算出して行ってもよい。投影画像の明るさを分析すると、次に、室内照明（展示用等２や電気スタンド３など）の光量を、ステップＳ３１で分析した投影画像の明るさに応じて制御する（ステップＳ３２）。
【００９１】
ステップＳ３２における光量の制御特性は、たとえば、画像が明るいほど、室内照明の光量を大きくするようにすると好ましい。たとえば、パソコン３７の表示画像は一般的に明るい画像ということができるが、このような明るい画像は明るい室内照明の下でも支障なく鑑賞できるからであり、一方、これに対して、映画等の映像は映画館等の暗い場所での上映を前提として作られているため、前記のパソコン画像に比べて暗い画像であるということができるので、このような暗い画像に対しては暗い室内照明の下で鑑賞すべきであるからである。
【００９２】
したがって、図９のフローチャートによれば、画像の明るさに応じて室内照明の光量を制御できるので、パソコン画像から映画等の映像まで幅広い明るさの画像に対応して、適切な室内照明光量の元でそれらの映像リソースを鑑賞することができる。
【００９３】
図１０は、プロジェクタ９の投影画像中に含まれる単語の意味を解釈し、その画像に適した明るさに室内照明を制御するように改良したフローチャート例を示す図である。このフローチャートでは、まず、プロジェクタ９の投影画像中に含まれる単語を抽出する（ステップＳ４１）。次いで、中央制御部３４のＰＲＯＭ３４ａに予め記憶されている「単語イメージ辞書」を参照して、その単語の持つイメージが「明るさ」または「暗さ」のどちらに属するかを判定し（ステップＳ４２）、最後に、その判定結果に応じて室内照明（展示用等２や電気スタンド３など）の光量を制御する（ステップＳ４３）。たとえば、“まぶしい太陽”などという単語が抽出された場合、その映像は、明るいイメージを持つものということができるから、この場合は室内照明の光量を増加させても差し支えない（映像鑑賞の妨げにならない）。
【００９４】
このように、図１０のフローチャートによれば、プロジェクタ９の投影画像中に含まれる単語の意味を解釈し、その画像に適した明るさに室内照明を制御するので、より一層、投影画像の内容に適合した最適な室内照明光量の元で当該画像を鑑賞することができる。
【００９５】
図１１は、プロジェクタ９の投影画像がダミー画像等の特定の画像である場合にオーディオシステム６からＢＧＭ（バックグラウンドミュージック）を流すように改良したフローチャート例を示す図である。このフローチャートでは、まず、プロジェクタ９の投影画像が特定の画像（たとえば、背景画像、ダミー画像、タイトル画像など）であるか否かを判定する（ステップＳ５１、ステップＳ５２）。
【００９６】
そして、特定の画像でなければ、投影終了を判定して投影終了であればフローチャートを完了し、投影終了でなければ再びステップＳ５１以降を繰り返すが、特定の画像である場合には、オーディオシステム６にＢＧＭを出力（ステップＳ５３）した後、再びステップＳ５１以降を繰り返す。
【００９７】
このように、図１１のフローチャートによれば、プロジェクタ９の投影画像がダミー画像等の特定の画像である場合にオーディオシステム６からＢＧＭを流すようにしたので、画像の始まりや終わり、あるいは、画像の切り替わりなどのタイミングでＢＧＭを流すことができ、たとえば、プレゼンテーションなどを行う際の演出効果を高めることができる。なお、ここでは、ＢＧＭとしたが、ＢＧＭの代わりにナレーションを流すようにしてもよい。
【００９８】
また、以上の実施形態における主要な機能は、もっぱら、図６や図７、図８あるいは図９〜図１１のフローチャートで示す制御プログラムに実装されており、そして、これらの制御プログラムをワンチップマイクロコンピュータ等のコンピュータ、つまり、プロジェクタ９の中央制御部３４上で実行することによって、以上の実施形態における特有の作用効果が得られるのであるから、以上の実施形態における特徴的な技術事項は、それらの制御プログラムに含まれているということができる。したがって、本件発明の保護されるべき範囲は、その制御プログラムを当然含み、且つ、それらのプログラムを収めた記録媒体、さらには、ネットワークを介して当該プログラムを配布することが可能なあらゆる媒体がその範囲に含まれる。
【００９９】
また、上記実施例では周囲の環境を総合的に制御する例を中心に記載したが、このようでなくとも良く、投影装置は、例えば照明のオンオフなど、周囲の環境を総合的ではなく、単純な制御を指示することが出来るのみであっても良い。
【図面の簡単な説明】
【０１００】
【図１】本実施形態におけるプロジェクタ９の使用環境例を示す図である。
【図２】プロジェクタ９から行われる機器類のコントロール概念図である。
【図３】プロジェクタ９の内部ブロック図である。
【図４】制御値出力部２６からの制御信号（制御指令）を受信するための受信機４０の構成図である。
【図５】モードテーブル４６の概念図である。
【図６】中央制御部３４で実行される制御プログラムのフローチャートを示す図である。
【図７】発展例のフローチャート（１／２）を示す図である。
【図８】発展例のフローチャート（２／２）を示す図である。
【図９】プロジェクタ９の投影画像の明るさに応じて室内照明の明るさを制御するように改良したフローチャート例を示す図である。
【図１０】プロジェクタ９の投影画像中に含まれる単語の意味を解釈し、その画像に適した明るさに室内照明を制御するように改良したフローチャート例を示す図である。
【図１１】プロジェクタ９の投影画像がダミー画像等の特定の画像である場合にオーディオシステム６からＢＧＭを流すように改良したフローチャート例を示す図である。
【符号の説明】
【０１０１】
１  室内（投影場所）
２  天井灯（機器類）
３  電気スタンド（機器類）
４  電動カーテン（機器類）
５  空調機（機器類）
６  オーディオシステム（機器類）
９  プロジェクタ（投影型表示装置）
１０  ユーザ
２６  制御値送出部（送信手段）
３４  中央制御部（選択手段、抽出手段、送信手段、第１判定手段、検出手段、生成手段、解析手段、第２判定手段）
４６  （第１格納手段、第２格納手段）
【図１】
2008083453.tif 000003
【図２】
2008083453.tif 000004
【図３】
2008083453.tif 000005
【図４】
2008083453.tif 000006
【図５】
2008083453.tif 000007
【図６】
2008083453.tif 000008
【図７】
2008083453.tif 000009
【図８】
2008083453.tif 000010
【図９】
2008083453.tif 000011
【図１０】
2008083453.tif 000012
【図１１】
2008083453.tif 000013